(57)【要約】      （修正有）【課題】画像形成装置毎に異なるカスタムメディアを使用している場合でも、制限なく相互利用を可能とする。【解決手段】入力された印刷ジョブの設定情報に含まれるメディア設定が標準のメディアを使用する標準メディア設定か、その標準のメディアと異なるカスタムメディアを使用するカスタムメディア設定かを判定する。そして、そのメディア設定がカスタムメディア設定と判定された場合、そのメディア設定を他の画像形成装置で印刷できるメディアの設定に変換し、変換されたメディア設定を保存する。【選択図】図１
2011084066.tif 000002
【特許請求の範囲】
【請求項１】
印刷ジョブに基づいて印刷を行う画像形成装置であって、
入力された印刷ジョブの設定情報に含まれるメディア設定が標準のメディアを使用する標準メディア設定か、前記標準のメディアと異なるカスタムメディアを使用するカスタムメディア設定かを判定する判定手段と、
前記判定手段によって前記メディア設定が前記カスタムメディア設定と判定された場合、当該メディア設定を他の画像形成装置で印刷できるメディアの設定に変換する変換手段と、
前記変換手段によって変換された前記メディア設定を保存する保存手段とを有することを特徴とする画像形成装置。
【請求項２】
前記変換手段は前記メディア設定を当該標準のメディアを使用する標準メディア設定に変換することを特徴とする請求項１に記載の画像形成装置。
【請求項３】
前記メディア設定を前記標準メディア設定に変換することを表示手段に表示してユーザに確認させる手段を更に有することを特徴とする請求項２に記載の画像形成装置。
【請求項４】
前記変換手段は、前記カスタムメディア設定と判定されたメディア設定の種類、表面性、坪量により当該メディア設定を前記標準のメディアを使用する標準メディア設定に変換することを特徴とする請求項１乃至３の何れか１項に記載の画像形成装置。
【請求項５】
前記変換手段は前記メディア設定を当該カスタムメディアを使用するカスタムメディア設定に変換することを特徴とする請求項１に記載の画像形成装置。
【請求項６】
前記変換手段は前記メディア設定を前記カスタムメディア設定に変換する際に、前記カスタムメディアを管理する固有のＩＤを空白にすることを特徴とする請求項５に記載の画像形成装置。
【請求項７】
前記メディア設定を前記カスタムメディア設定に変換するか否かを表示手段に表示してユーザに確認させる手段を更に有することを特徴とする請求項５又は６に記載の画像形成装置。
【請求項８】
印刷ジョブに基づいて印刷を行う画像形成装置の処理方法であって、
判定手段が、入力された印刷ジョブの設定情報に含まれるメディア設定が標準のメディアを使用する標準メディア設定か、前記標準のメディアと異なるカスタムメディアを使用するカスタムメディア設定かを判定する判定工程と、
変換手段が、前記判定工程において前記メディア設定が前記カスタムメディア設定と判定された場合、当該メディア設定を他の画像形成装置で印刷できるメディアの設定に変換する変換工程と、
保存手段が、前記変換工程において変換された前記メディア設定を保存する保存工程とを有することを特徴とする画像形成装置の処理方法。
【請求項９】
請求項８に記載の画像形成装置の処理方法における各工程をコンピュータに実行させるためのプログラム。
【発明の詳細な説明】
【技術分野】
【０００１】
本発明は、印刷ジョブに基づいて印刷を行う画像形成装置及びその処理方法に関する。
【背景技術】
【０００２】
近年の印刷システムでは、印刷したジョブデータを大容量の記憶装置（ＨＤＤ）などに保管し、再度印刷する際に印刷ジョブの再設定を必要としないようにすることが一般的である。文書作成ソフトや表計算ソフトなど様々なアプリケーションソフトを使用して作成したデータをプリンタドライバによってプリンタ制御言語データに変換して印刷ジョブを生成する。そして、その印刷ジョブを、プリントサーバを介して若しくは直接にプリンタへ転送し、そのプリンタにて印刷出力処理を行う。
【０００３】
その際、一度使用したデータ供給源から入力される印刷ジョブを自装置内若しくは外部接続された記憶装置やネットワーク接続されたサーバ装置（例えば、プリントサーバ）に保存しておく。その後、再出力の指示があった場合は、保存しておいた印刷ジョブを使用して画像形成装置で画像を生成して出力する機能を備えた装置が提案されている。
【０００４】
このような再出力を行う機能によれば、一度送信した印刷ジョブを再度出力する必要が生じた際に、ドライバを用いて印刷データを再生成・再送する必要がなくなる。そのため、再出力の処理効率を高めることができ、出力の高速化やネットワーク負荷の低減を図ることができる。
【０００５】
しかし、複数の印刷システムの間では、デバイスの利用制限や印刷ジョブのパラメータ設定が共通でないことから、ジョブの設定をそのまま流用することはできず、改善が要求されている。
【０００６】
このような制限を解決するために、給紙、排紙装置や両面オプションの有無など、画像形成装置毎に異なる違いを印刷サーバに持つことで、デバイスの利用制限を低減して能力の異なるデバイスを用いた代行印刷が提案されている（例えば、特許文献１参照）。
【０００７】
また、最近のＰＯＤ市場の要望から印刷ジョブで選択する用紙の指定方法として、標準メディア以外にカスタムメディアを使用できる印刷システムが提案されている（例えば、特許文献２参照）。ここで、標準メディアとは、複写機で使用されてきた普通紙、再生紙といった従来の標準用紙である。また、カスタムメディアとは、メーカーから販売されている用紙の特徴（坪量や表面性など）をパラメータ（属性値）としてデータベースに登録したカスタム用紙である。標準メディアとカスタムメディアを合わせて、単にメディアと呼ぶ。
【０００８】
画像形成装置は、一般に給紙装置に収納された用紙に画像を形成する際に、その用紙のサイズや紙種によって最適な速度や定着器の温度で画像形成を行う。また、用紙の給紙時における用紙間の密着を解くために用紙に適した強さや時間でエアーを吹き付けたりする機能を持つ。カスタムメディアの利用により、ユーザは購入した用紙に適した定着器の温度や紙のハンドリングを行うことができるようになり、好条件な環境下でユーザは印刷物を仕上げることができるようになった。
【０００９】
しかし、反面、画像形成装置で制御可能な紙種や最適な画像形成を行うためのメディアがより細分化され多種となり、ユーザが使用するメディアの数が膨大になってしまった。そこで、最近の印刷システムでは、全てのメディアの情報を印刷システム側で予め用意するのではなく、画像形成装置に備えられたユーザインターフェースを用いてユーザが設定できるような構成が提案されている。更に、ネットワークを介して接続されるパーソナルコンピュータから各種用紙の属性値を設定する構成も提案されている。
【先行技術文献】
【特許文献】
【００１０】
【特許文献１】特開２００３−８４９４７号公報
【特許文献２】特開２００７−３０１９１１号公報
【発明の概要】
【発明が解決しようとする課題】
【００１１】
上述の標準メディアは、画像形成装置が予め持っているものであり、画像形成装置間で共通の内容のものである。つまり、保存（アーカイブ）した標準メディアを使用した印刷ジョブの印刷データは、共通の標準メディアの設定を使っているため、別の画像形成装置に投入しても問題なく出力される。
【００１２】
しかしながら、画像形成装置毎に固有のＩＤで管理されるカスタムメディアを使用した印刷ジョブの印刷データは、アーカイブしたデータベースと別のデータベースを利用している画像形成装置では情報の共有ができない問題があった。
【００１３】
本発明は、画像形成装置毎に異なるカスタムメディアを印刷ジョブに使用している場合でも、制限なく相互利用を可能とすることを目的とする。
【課題を解決するための手段】
【００１４】
本発明は、印刷ジョブに基づいて印刷を行う画像形成装置であって、
入力された印刷ジョブの設定情報に含まれるメディア設定が標準のメディアを使用する標準メディア設定か、前記標準のメディアと異なるカスタムメディアを使用するカスタムメディア設定かを判定する判定手段と、
前記判定手段によって前記メディア設定が前記カスタムメディア設定と判定された場合、当該メディア設定を他の画像形成装置で印刷できるメディアの設定に変換する変換手段と、
前記変換手段によって変換された前記メディア設定を保存する保存手段とを有することを特徴とする。
【発明の効果】
【００１５】
本発明によれば、カスタムメディアの設定を標準のメディアの設定に変換して保存することにより、カスタムメディアを使用して印刷を行った印刷ジョブを、他の画像形成装置で再印刷する際に発生する不具合を避けることができる。これにより、ある画像形成装置で使用した用紙に適した好条件下の設定を他の画像形成装置に流用することができる。
【図面の簡単な説明】
【００１６】
【図１】本実施形態における印刷システムの構成の一例を示すブロック図。
【図２】表示部１１２に表示されるＵＩ画面の一例を示す図。
【図３】印刷ジョブのアーカイブを行う際のＵＩ画面の一例を示す図。
【図４】アーカイブジョブの設定を行うＵＩ画面の一例を示す図。
【図５】カスタムメディア設定を標準メディア設定に変換する処理の概念を示す図。
【図６】標準メディア設定への変換を示すフローチャート。
【図７】マッピングテーブルの構成の一例を示す図。
【図８】標準メディアに変換されたカスタムメディア設定のアーカイブ処理を示すフローチャート。
【図９】標準メディアに変換して保存する際の警告画面の一例を示す図。
【図１０】対応する標準メディアが存在しない場合の警告画面の一例を示す図。
【図１１】カスタムメディアデータの付与を示す概念図。
【図１２】カスタムメディアデータを付与する処理を示すフローチャート。
【図１３】状態表示アプリケーションでアーカイブ済みジョブのインポートを行うＵＩ画面を示す図。
【図１４】アーカイブ済みジョブのインポートを選択したときに表示される画面を示す図。
【図１５】カスタムメディアデータ読み込み処理を示すフローチャート。
【図１６】カスタムメディアデータ付のジョブの場合の警告画面の一例を示す図。
【図１７】カスタムメディアデータの登録処理を示すフローチャート。
【図１８】ＵＩ画面でカスタムメディアデータ付き印刷データを読み込んだ状態を示す図。
【図１９】カスタムメディアデータ付き印刷データの表示処理を示すフローチャート。
【図２０】カスタムメディアデータを登録する際のＵＩ画面を示す図。
【図２１】カスタムメディアデータをＵＩ画面から追加して印刷する処理を示すフローチャート。
【発明を実施するための形態】
【００１７】
以下、図面を参照しながら発明を実施するための形態について詳細に説明する。本実施形態では、ネットワーク上の画像形成装置（コントローラと複写機とで構成される）からカスタムメディアを選択して印刷された印刷ジョブを保存（アーカイブ）して取り出し、他の画像形成装置で再印刷する際の処理を説明する。
【００１８】
［印刷ジョブの投入］
図１は、本実施形態における印刷システムの構成の一例を示すブロック図である。図１に示すように、印刷システムはパーソナルコンピュータ（ＰＣ）１１３と、コントローラ及び複写機で構成される画像形成装置１００とがネットワーク１２０上に接続されて構成される。
【００１９】
ＰＣ１１３には、印刷の各種設定を行うためのユーザインターフェースである印刷情報入力部１１４と設定情報を作成する設定情報作成部１１５とが含まれる。ここで設定情報をジョブチケットと称し、印刷データ１１６とジョブチケット１１７とを１セットにして印刷ジョブと称す。この印刷データ１１６には、印刷物のイメージ情報が含まれ、ジョブチケット１１７には、印刷ジョブのレイアウト情報（片面、両面印刷指定、面付け情報、部数、用紙サイズ、用紙種類など）が書かれている。
【００２０】
ＰＣ１１３にインストールされた印刷アプリケーションなどから印刷の指示が行われると、画像形成装置１００に対応するプリンタドライバ（以下、ドライバ）が印刷ジョブを生成する。そして、印刷ジョブはネットワーク１２０を介して画像形成装置１００へ出力される。ここで、ドライバは、ユーザが印刷アプリケーション上で印刷を行う場合に起動されるソフトウェアである。
【００２１】
ドライバは、画像形成装置１００と双方向通信を行うことで、カスタムメディア情報をドライバのユーザインターフェース（ＵＩ）に表示する。ＵＩ画面に表示されたカスタムメディア設定が選択されると、ドライバは設定情報であるジョブチケット１１７に、用紙種類のカスタムメディアの固有ＩＤを埋め込んだ印刷ジョブを画像形成装置１００に投入する。
【００２２】
［印刷ジョブ投入後の画像形成装置の処理］
本実施形態では、画像形成装置１００として、画像形成を制御するコントローラと印刷出力を行う複写機とが直接接続されている場合を例に説明するが、コントローラと複写機とはネットワーク上に接続されていても良い。その場合、コントローラ及び複写機の双方に共通のメディア設定保存部１０９が設けられていれば良い。ここで、メディア設定保存部１０９は標準１１０及びカスタム１１１で構成されるデータベースを含む。
【００２３】
画像形成装置１００において、印刷情報入力部１０１は、印刷の原稿となる印刷データ１１６と印刷データの加工や表示や出力を指示するジョブチケット１１７をＰＣ１１３のドライバから入力する。受け取った印刷ジョブは印刷情報保存部１０８に一旦保存される。印刷情報制御部１０２は、ジョブチケット１１７と印刷データ１１６の１セットの印刷情報に基づいて画像形成を制御する。また、印刷情報制御部１０２には画像形成装置全体を制御するＣＰＵ、そのＣＰＵのプログラムや制御データなどが格納されているＲＯＭ、ＣＰＵが後述する各種処理を実行する際に使用される作業領域や各種テーブルなどが定義されたＲＡＭが含まれる。印刷指示解釈部１０３は、ジョブチケット１１７を解釈する。ジョブチケット１１７には、用紙の種類を示すカスタムメディア設定が固有のＩＤで埋め込まれている。また、印刷指示解釈部１０３は、メディア設定保存部１０９と通信することで、メディア毎の細かい設定を解釈する。
【００２４】
印刷情報加工部１０４は、印刷指示解釈部１０３での解釈の結果に基づいて印刷データ１１６から印刷情報を作成し、ジョブチケット１１７を加工して出力の準備を行う。印刷情報送信部１０５は、印刷情報加工部１０４により加工された印刷情報を印刷情報出力部１０６へ送信する。そして、印刷情報出力部１０６は、メディア設定保存部１０９に保存されているカスタムメディア設定を参照して印刷を行う。尚、一旦出力された印刷ジョブや印刷情報保存部１０８に保存されている印刷ジョブは、表示部１１２を介してユーザに提示される。
【００２５】
［印刷ジョブの表示］
コントローラの表示部１１２は、画像形成装置１００における印刷ジョブの状態を図２に示すＵＩ画面として表示する。また表示部１１２は、ネットワーク１２０を介してＰＣ１１３にインストールされた状態表示アプリケーションなどに印刷ジョブの状態を通知し、状態表示アプリケーションのＵＩ画面として表示させても良い。
【００２６】
図２は、表示部１１２に表示されるＵＩ画面の一例を示す図である。図２に示すように、このＵＩ画面には、複数の印刷ジョブの状態を表示するアクティブジョブ画面２０１が含まれる。また、図２の例では、「印刷済みジョブ」２０２が指定されており、印刷済みジョブも表示されている。
【００２７】
本実施形態では、印刷ジョブの状態をキュー毎に複数のアイコンパーツ２０３で表現している。キューの種類としてはＰＣ１１３のドライバから投入された印刷ジョブを、印刷情報保存部１０８を介して印刷するＰｒｉｎｔキュー、投入された印刷ジョブを印刷情報保存部１０８に一旦保持するＨｏｌｄキューがある。尚、印刷情報保存部１０８と上述のメディア設定保存部１０９は、印刷情報制御部１０２の制御の下に、印刷情報保存管理部１０７によって管理される。
【００２８】
ＰＣ１１３から投入された印刷ジョブは、画像形成装置１００内で処理されている間はアクティブジョブ画面２０１に表示される。そして、印刷が終了した印刷ジョブのデータは印刷済みジョブ画面２０２に移動する。また、印刷後の印刷ジョブの結果（ＯＫ、ＮＧなど）を表示するジョブログの画面もある。
【００２９】
［印刷ジョブのアーカイブ］
ここで、アクティブジョブ画面２０１に表示されている任意の印刷ジョブをアーカイブし、アーカイブされた印刷ジョブを他の画像形成装置で読み込む（インポートする）処理を説明する。まず、アーカイブする印刷ジョブのメディア設定を確認してアーカイブする処理を説明する。
【００３０】
図３は、印刷ジョブのアーカイブを行う際のＵＩ画面の一例を示す図である。ユーザがアクティブジョブ画面２０１からマウスなどのポインティングデバイスによりアーカイブする印刷ジョブを選択した後、右クリックなどにより表示されたメニューからアーカイブ３０１を選択する。
【００３１】
印刷ジョブのアーカイブは、従来のメディアのＩＤをジョブチケットに埋め込むものを合わせると３種類ある。本実施形態では、ユーザの希望に合わせて、優先保存形式を設定することができる。ここでは、図４に示すように、アーカイブジョブの設定として、標準メディア設定への変換を行う「標準設定に変換する」４０１が初期設定として指定されているものとする。しかし、ユーザの好みに応じて、「メディアデータを付与する」を指定することもできる。
【００３２】
［標準メディア設定への変換］
図５は、カスタムメディア設定を標準メディア設定に変換する処理の概念を示す図である。図６は、標準メディア設定への変換を示すフローチャートである。まず、図３に示すＵＩ画面でアーカイブ３０１の処理が選択されると、Ｓ６０１で印刷指示解釈部１０３がカスタムメディアの設定を確認する。ここで、印刷指示解釈部１０３はジョブチケットに埋め込まれているメディア設定（用紙種類のＩＤ）を確認する。確認の結果、用紙種類のＩＤがＯＨＰシートであると解釈された場合は、Ｓ６０２へ処理を進め、ＯＨＰシートに決定する。また、カスタムメディアであると解釈された場合は、Ｓ６０３へ処理を進め、用紙表面のざらつき（表面性）、用紙の重さ（坪量）に応じて標準メディアを決定する。そして、Ｓ６０４で、対応する一般用紙の属性値（タイプ１）に置き換える。
【００３３】
具体的には、図７に示すマッピングテーブルを用いて標準メディアに割り当てられるか否かを確認する。マッピングテーブルとは、種類、表面性、坪量と画像形成装置毎の標準メディア設定の対応関係を表したものである。本実施形態では、メディアの種類、表面性、坪量からそのメディアがどの標準メディアに変換できるものかを判断するために使用される。また、標準メディアとは、複写機が製造時に予め持っている用紙種類の分類方法であり、機種毎に共通で用意されている（普通紙、再生紙、片面コート紙など）。
【００３４】
次に、図８を用いて標準メディア設定に変換されたカスタムメディア設定のアーカイブ処理を説明する。まず、Ｓ８０１で、カスタムメディアに対応する標準メディアが存在するか否かを判定する。判定の結果、存在する場合はＳ８０２へ処理を進め、標準メディアに変換して保存することを図９に示すように、警告画面として表示する。この警告画面でＯＫが選択された場合は、Ｓ８０５へ処理を進め、ジョブチケットに標準メディアのＩＤを埋め込む。また、この警告画面でキャンセルが選択された場合は、後述するＳ８０４へ処理を進める。
【００３５】
一方、対応する標準メディアが存在しない場合（マッピングテーブルで括弧書きの用紙種類）は、Ｓ８０３へ処理を進め、図１０に示す警告画面（標準メディアに割り振れないこと）を表示する。続くＳ８０４では、カスタムメディアデータを印刷ジョブに付与していいかを確認する。ここで、ＮＯが選択された場合は、従来の固有ＩＤをジョブチケットに埋め込み、この処理を終了するが、ＹＥＳが選択された場合は、Ｓ８０６へ処理を進め、カスタムメディアデータを付与する。
【００３６】
［カスタムメディアデータの付与］
ここで、カスタムメディアデータを付与する処理を、図１１、図１２を用いて説明する。図１１は、カスタムメディアデータの付与を示す概念図、図１２は、カスタムメディアデータを付与する処理を示すフローチャートである。
【００３７】
まず、Ｓ１２０１で、アーカイブ処理で標準メディアに設定できない属性値を処理する場合、印刷指示解釈部１０３がジョブチケットから印刷に使用する用紙種類を読み取る。続くＳ１２０２で、設定されている値がカスタムメディアデータならば、ジョブチケットの固有ＩＤから名称などカスタムメディアデータを検索する。次に、Ｓ１２０３で、抜き出したメディアデータから固有のＩＤを空白にする。そして、Ｓ１２０４で、印刷ジョブ（印刷データ＋ジョブチケット）に抜き出したメディアデータを付与する（図１１）。
【００３８】
［カスタムメディアデータの読み込み（インポート）］
次に、アーカイブ済みジョブを他の画像形成装置で読み込む（インポートする）処理を説明する。図１３は、状態表示アプリケーションでアーカイブ済みジョブのインポートを行うＵＩ画面を示す図である。図１４は、図１３でアーカイブ済みジョブのインポートを選択したときに表示される画面を示す図である。図１５は、カスタムメディアデータ読み込み処理を示すフローチャートである。
【００３９】
Ｓ１５０１で、図１３に示すＵＩ画面から、ユーザがアーカイブ済みジョブ（カスタムメディアデータの付与されたジョブ）の読み込みを選択する。印刷情報制御部１０２は、図１４に示すＵＩ画面で選択されたジョブがカスタムメディアデータ付きのジョブであるか否かを判定する。判定の結果、カスタムメディアデータ付のジョブの場合、Ｓ１５０２で、図１６に示すような警告画面を表示部１１２に表示し、読み込んだジョブの印刷データをユーザがどのように利用する（再印刷する）かを確認する。
【００４０】
ここで、ユーザが一時的に再印刷することを選択した場合、Ｓ１５０３へ処理を進め、印刷データ１１６とジョブチケット１１７とだけでなく、カスタムメディアデータも印刷情報保存部１０８に読み込む。一方、ユーザが印刷ジョブに付与されたカスタムメディアデータを永続的に利用することを選択した場合、Ｓ１５０４へ処理を進め、そのカスタムメディアデータをメディア設定に追加登録する。この登録処理の詳細は、更に詳述する。そして、Ｓ１５０５で、印刷データをＵＩ画面に表示する。
【００４１】
［カスタムメディアデータの登録］
図１７は、カスタムメディアデータの登録処理を示すフローチャートである。まず、Ｓ１７０１で、同じ属性のカスタムメディア情報が他の画像形成装置に存在しているか否かを判定する。判定の結果、存在していれば、Ｓ１７０２へ処理を進め、他の画像形成装置のカスタムメディア情報に基づいてジョブチケットにこのカスタムメディア情報のＩＤを埋め込む。
【００４２】
また、Ｓ１７０１で判定した結果、全く同じカスタムメディアデータが存在していない場合はＳ１７０３へ処理を進め、カスタムメディアデータを他の画像形成装置のカスタム１１１に追加する。そして、Ｓ１７０４では、追加したときに設定した他の画像形成装置固有のＩＤをジョブチケットに埋め込む。
【００４３】
［カスタムメディアデータを付与した印刷ジョブの表示］
図１８は、ＵＩ画面でカスタムメディアデータ付き印刷データを読み込んだ状態を示す図である。図１９は、カスタムメディアデータ付き印刷データの表示処理を示すフローチャートである。
【００４４】
まず、Ｓ１９０１で、アーカイブされた印刷データを読み込んだ際に、状態表示アプリケーションはカスタムメディアデータがキューに入っているか否かを確認する。ここで、カスタムメディアデータが印刷ジョブと一緒に保存されている場合は、Ｓ１９０２へ処理を進め、図１８に示す１８０１のように、ジョブの表示でチェックアイコンを付けて表示する。一方、Ｓ１９０１で確認した結果、印刷ジョブだけの場合は、Ｓ１９０３へ処理を進め、チェックアイコンを付けないでジョブを表示する。
【００４５】
［カスタムメディアデータのＵＩからの追加］
図２０は、カスタムメディアデータを登録する際のＵＩ画面を示す図である。図２１は、カスタムメディアデータをＵＩ画面から追加して印刷する処理を示すフローチャートである。
【００４６】
まず、Ｓ２１０１で印刷データが選択されると、Ｓ２１０２へ処理を進め、選択された印刷データがカスタムメディアデータ付のジョブか否かを判定する。この判定は、図１８に示すチェックアイコン１８０１が付けられているか否かで判定する。カスタムメディアデータ付きのジョブが選択された場合は、図２０に示す２００１のように、右クリック時にカスタムメディアデータの登録が選択できるようになる。そして、Ｓ２１０３で、このカスタムメディアデータの登録が選択されたかを判定する。その結果、カスタムメディアデータの登録が選択された場合は、Ｓ２１０４へ処理を進め、上述した登録処理を行い、Ｓ２１０５へ処理を進める。一方、Ｓ２１０２又はＳ２１０３で、ＮＯの場合には、そのままＳ２１０５へ処理を進める。
【００４７】
このＳ２１０５では、印刷開始が指示されたか否かを判定し、印刷開始が指示されると、Ｓ２１０６へ処理を進め、印刷指示解釈部１０３が印刷情報保存部１０８に保存されているカスタムメディアデータを解釈して印刷を行う。そして、Ｓ２１０７では、この処理の終了が指示されたか否かを判定し、終了が指示されていなければ、Ｓ２１０１に戻り、上述の処理を繰り返す。
【００４８】
尚、本実施形態では、標準メディアに変換する処理とカスタムメディアデータの付与の処理を同じ画像形成装置内で行うことを示したが、他の実施形態として標準メディア変換だけを行っても良い。ここで標準メディアへの変換ができない場合は、固有のＩＤのまま保存する。また、他の実施形態としてカスタムメディアデータの付与の処理だけを行っても良い。
【図１】
2011084066.tif 000003
【図２】
2011084066.tif 000004
【図３】
2011084066.tif 000005
【図４】
2011084066.tif 000006
【図５】
2011084066.tif 000007
【図６】
2011084066.tif 000008
【図７】
2011084066.tif 000009
【図８】
2011084066.tif 000010
【図９】
2011084066.tif 000011
【図１０】
2011084066.tif 000012
【図１１】
2011084066.tif 000013
【図１２】
2011084066.tif 000014
【図１３】
2011084066.tif 000015
【図１４】
2011084066.tif 000016
【図１５】
2011084066.tif 000017
【図１６】
2011084066.tif 000018
【図１７】
2011084066.tif 000019
【図１８】
2011084066.tif 000020
【図１９】
2011084066.tif 000021
【図２０】
2011084066.tif 000022
【図２１】
2011084066.tif 000023